【手続補正書】
【提出日】平成30年2月21日(2018.2.21)
【手続補正１】
【補正対象書類名】特許請求の範囲
【補正対象項目名】全文
【補正方法】変更
【補正の内容】
【特許請求の範囲】
【請求項１】
光電変換素子と、浮遊拡散層と、前記光電変換素子で生じた電荷を前記浮遊拡散層へ転送する転送トランジスタと、前記浮遊拡散層の電位をリセットするリセットトランジスタと、前記浮遊拡散層の電位に基づく信号を出力する増幅トランジスタとを含む画素と、
前記光電変換素子が電荷を蓄積しているときに、前記リセットトランジスタのゲートに第２の電圧と第３の電圧との間の第１の電圧を供給し、次いで、前記浮遊拡散層の電位をリセットするために前記リセットトランジスタをオンにするときに、前記リセットトランジスタの前記ゲートに前記第２の電圧を供給し、次いで、前記増幅トランジスタが前記浮遊拡散層の電位に基づく信号を出力するときに、前記リセットトランジスタの前記ゲートに前記第３の電圧を供給するように構成された制御部と
を有することを特徴とする固体撮像装置。
【請求項２】
光電変換素子と、浮遊拡散層と、前記光電変換素子で生じた電荷を前記浮遊拡散層へ転送する転送トランジスタと、前記浮遊拡散層の電位をリセットするリセットトランジスタと、前記浮遊拡散層の電位に基づく信号を出力する増幅トランジスタとを含む画素と、
前記光電変換素子が電荷を蓄積しているときに、前記リセットトランジスタのゲートに第２の電圧と第３の電圧との間の第１の電圧を供給し、次いで、前記浮遊拡散層の電位をリセットするために前記リセットトランジスタをオンにするときに、前記リセットトランジスタの前記ゲートに前記第２の電圧を供給し、次いで、前記転送トランジスタが前記電荷を転送しているときに、前記リセットトランジスタの前記ゲートに前記第３の電圧を供給するように構成された制御部と
を有することを特徴とする固体撮像装置。
【請求項３】
前記第２の電圧は、前記リセットトランジスタが第１のオン抵抗を持つように前記リセットトランジスタを制御する電圧であり、
前記第１の電圧は、前記リセットトランジスタが前記第１のオン抵抗よりも高い第２のオン抵抗を持つように前記リセットトランジスタを制御する電圧である
ことを特徴とする請求項１又は２記載の固体撮像装置。
【請求項４】
前記リセットトランジスタが第１のオン抵抗を持つように制御されることにより、前記浮遊拡散層が前記リセットトランジスタのドレインに接続された電源の電圧と同電位にリセットされる
ことを特徴とする請求項３記載の固体撮像装置。
【請求項５】
前記リセットトランジスタは、デプレッション型のトランジスタであり、
前記第２の電圧は、前記浮遊拡散層をリセットする際のリセット電源電圧と同じ電圧である
ことを特徴とする請求項１乃至４のいずれか１項に記載の固体撮像装置。
【請求項６】
前記第３の電圧は、第５の電圧と、前記第１の電圧と前記第５の電圧との間の第４の電圧とを含み、
前記制御部は、
前記増幅トランジスタがＮ信号を出力するときに、前記リセットトランジスタの前記ゲートに前記第４の電圧を供給し、
前記増幅トランジスタがＳ信号を出力するときに、前記リセットトランジスタの前記ゲートに前記第５の電圧を供給するように更に構成されている
ことを特徴とする請求項１乃至５のいずれか１項に記載の固体撮像装置。
【請求項７】
前記リセットトランジスタは、前記ゲートに前記第３の電圧が供給されることによりオフ状態となる
ことを特徴とする請求項１乃至６のいずれか１項に記載の固体撮像装置。
【請求項８】
前記制御部は、前記転送トランジスタをオフ状態にするときに、前記転送トランジスタのゲートに第６の電圧を供給するように更に構成されており、
前記第３の電圧は、前記第１の電圧と前記第６の電圧との間の電圧である
ことを特徴とする請求項１乃至７のいずれか１項に記載の固体撮像装置。
【請求項９】
前記画素は、前記画素を選択するための選択トランジスタを更に有する
ことを特徴とする請求項１乃至８のいずれか１項に記載の固体撮像装置。
【請求項１０】
前記制御部は、バッファ回路と、前記バッファ回路に前記第１の電圧と前記第２の電圧とを選択的に供給する切り替え回路と、を含む
ことを特徴とする請求項１乃至９のいずれか１項に記載の固体撮像装置。
【請求項１１】
前記バッファ回路は、Ｎチャネル型のトランジスタとＰチャネル型のトランジスタとを含むインバータ回路を含み、
前記切り替え回路は、互いに排他的に動作する２つのスイッチを含み、
前記バッファ回路は、前記２つのスイッチの一方を介して前記第１の電圧を供給する第１の電圧供給端子に接続され、かつ、前記２つのスイッチの他方を介して前記第２の電圧を供給する第２の電圧供給端子に接続される
ことを特徴とする請求項１０記載の固体撮像装置。
【請求項１２】
光電変換素子と、浮遊拡散層と、前記光電変換素子で生じた電荷を前記浮遊拡散層へ転送する転送トランジスタと、前記浮遊拡散層の電位をリセットするリセットトランジスタと、前記浮遊拡散層の電位に基づく信号を出力する増幅トランジスタと、を含む画素を有する固体撮像装置の駆動方法であって、
前記光電変換素子が電荷を蓄積しているときに、前記リセットトランジスタのゲートに第２の電圧と第３の電圧との間の第１の電圧を供給し、
次いで、前記浮遊拡散層の電位をリセットするために前記リセットトランジスタをオンにするときに、前記リセットトランジスタの前記ゲートに前記第２の電圧を供給し、
次いで、前記増幅トランジスタが前記浮遊拡散層の電位に基づく信号を出力するときに、前記リセットトランジスタの前記ゲートに前記第３の電圧を供給する
ことを特徴とする固体撮像装置の駆動方法。
【請求項１３】
光電変換素子と、浮遊拡散層と、前記光電変換素子で生じた電荷を前記浮遊拡散層へ転送する転送トランジスタと、前記浮遊拡散層の電位をリセットするリセットトランジスタと、前記浮遊拡散層の電位に基づく信号を出力する増幅トランジスタと、を含む画素を有する固体撮像装置の駆動方法であって、
前記光電変換素子が電荷を蓄積しているときに、前記リセットトランジスタのゲートに第２の電圧と第３の電圧との間の第１の電圧を供給し、
次いで、前記浮遊拡散層の電位をリセットするために前記リセットトランジスタをオンにするときに、前記リセットトランジスタの前記ゲートに前記第２の電圧を供給し、
次いで、前記転送トランジスタが前記電荷を転送しているときに、前記リセットトランジスタの前記ゲートに前記第３の電圧を供給する
ことを特徴とする固体撮像装置の駆動方法。
【請求項１４】
請求項１乃至１１のいずれか１項に記載の固体撮像装置と、
前記固体撮像装置に被写体の光学像を結像する光学系と
を有することを特徴とする撮像システム。
【手続補正２】
【補正対象書類名】明細書
【補正対象項目名】０００６
【補正方法】変更
【補正の内容】
【０００６】
本発明の一観点によれば、光電変換素子と、浮遊拡散層と、前記光電変換素子で生じた電荷を前記浮遊拡散層へ転送する転送トランジスタと、前記浮遊拡散層の電位をリセットするリセットトランジスタと、前記浮遊拡散層の電位に基づく信号を出力する増幅トランジスタとを含む画素と、前記光電変換素子が電荷を蓄積しているときに、前記リセットトランジスタのゲートに第２の電圧と第３の電圧との間の第１の電圧を供給し、次いで、前記浮遊拡散層の電位をリセットするために前記リセットトランジスタをオンにするときに、前記リセットトランジスタの前記ゲートに前記第２の電圧を供給し、次いで、前記増幅トランジスタが前記浮遊拡散層の電位に基づく信号を出力するときに、前記リセットトランジスタの前記ゲートに前記第３の電圧を供給するように構成された制御部とを有する固体撮像装置が提供される。
【手続補正３】
【補正対象書類名】明細書
【補正対象項目名】０００７
【補正方法】変更
【補正の内容】
【０００７】
また、本発明の他の一観点によれば、光電変換素子と、浮遊拡散層と、前記光電変換素子で生じた電荷を前記浮遊拡散層へ転送する転送トランジスタと、前記浮遊拡散層の電位をリセットするリセットトランジスタと、前記浮遊拡散層の電位に基づく信号を出力する増幅トランジスタとを含む画素と、前記光電変換素子が電荷を蓄積しているときに、前記リセットトランジスタのゲートに第２の電圧と第３の電圧との間の第１の電圧を供給し、次いで、前記浮遊拡散層の電位をリセットするために前記リセットトランジスタをオンにするときに、前記リセットトランジスタの前記ゲートに前記第２の電圧を供給し、次いで、前記転送トランジスタが前記電荷を転送しているときに、前記リセットトランジスタの前記ゲートに前記第３の電圧を供給するように構成された制御部とを有する固体撮像装置が提供される。
【手続補正４】
【補正対象書類名】明細書
【補正対象項目名】０００８
【補正方法】変更
【補正の内容】
【０００８】
また、本発明の更に他の一観点によれば、光電変換素子と、浮遊拡散層と、前記光電変換素子で生じた電荷を前記浮遊拡散層へ転送する転送トランジスタと、前記浮遊拡散層の電位をリセットするリセットトランジスタと、前記浮遊拡散層の電位に基づく信号を出力する増幅トランジスタと、を含む画素を有する固体撮像装置の駆動方法であって、前記光電変換素子が電荷を蓄積しているときに、前記リセットトランジスタのゲートに第２の電圧と第３の電圧との間の第１の電圧を供給し、次いで、前記浮遊拡散層の電位をリセットするために前記リセットトランジスタをオンにするときに、前記リセットトランジスタの前記ゲートに前記第２の電圧を供給し、次いで、前記増幅トランジスタが前記浮遊拡散層の電位に基づく信号を出力するときに、前記リセットトランジスタの前記ゲートに前記第３の電圧を供給する固体撮像装置の駆動方法が提供される。
【手続補正５】
【補正対象書類名】明細書
【補正対象項目名】０００９
【補正方法】変更
【補正の内容】
【０００９】
また、本発明の更に他の一観点によれば、光電変換素子と、浮遊拡散層と、前記光電変換素子で生じた電荷を前記浮遊拡散層へ転送する転送トランジスタと、前記浮遊拡散層の電位をリセットするリセットトランジスタと、前記浮遊拡散層の電位に基づく信号を出力する増幅トランジスタと、を含む画素を有する固体撮像装置の駆動方法であって、前記光電変換素子が電荷を蓄積しているときに、前記リセットトランジスタのゲートに第２の電圧と第３の電圧との間の第１の電圧を供給し、次いで、前記浮遊拡散層の電位をリセットするために前記リセットトランジスタをオンにするときに、前記リセットトランジスタの前記ゲートに前記第２の電圧を供給し、次いで、前記転送トランジスタが前記電荷を転送しているときに、前記リセットトランジスタの前記ゲートに前記第３の電圧を供給する固体撮像装置の駆動方法が提供される。